(57)【要約】【課題】着色が施されていて意匠性が高く、肌対向面の風合いが良好で、着用時の位置決めが簡単な吸収性物品を提供すること。【解決手段】腹側部Ａ又は背側部Ｃにおいて、着用者の肌の最も近くに位置する肌最近接シート３１０が、腹側部Ａ又は背側部Ｃの外形を形成する主体部である外装体３の肌対向面を横方向Ｙに延びるように配されている。肌最近接シート３１０の非肌対向面３１０ｂが、該非肌対向面３１０ｂと対向する面３２ａとの接合部３１１及び非接合部３１２を有すると共に、該肌最近接シート３１０の地色と異なる着色部４０及び非着色部４１を有する。非接合部３１２が、肌最近接シート３１０における縦方向Ｘの端縁３１０Ｅを含む端部域に位置しており、且つ非着色部４１を含んでいる。【選択図】図２
2017217061.tif 000002
【特許請求の範囲】
【請求項１】
着用者の前後方向に対応する縦方向及びこれに直交する横方向を有すると共に、股下部並びに該股下部の前後から縦方向に延出する腹側部及び背側部を有し、該腹側部から該背側部にわたる吸収体を具備する吸収性物品であって、
前記腹側部又は前記背側部において、着用者の肌の最も近くに位置する肌最近接シートが、該腹側部又は該背側部の外形を形成する主体部の肌対向面を横方向に延びるように配されており、
前記肌最近接シートの非肌対向面が、該非肌対向面と対向する面との接合部及び非接合部を有すると共に、該肌最近接シートの地色と異なる着色部及び非着色部を有し、
前記非接合部が、前記肌最近接シートにおける縦方向の端縁を含む端部域に位置しており、且つ前記非着色部を含んでいる吸収性物品。
【請求項２】
縦方向に沿って見たときに、前記非接合部が、前記端縁を含む前記肌最近接シートの縦半分以上の領域に、前記非着色部を含んでいる請求項１に記載の吸収性物品。
【請求項３】
前記非着色部は、前記肌最近接シートにおける縦方向の端縁を含む端部域に沿って、該肌最近接シートの横方向の全長にわたって連続して存在している請求項１又は２に記載の吸収性物品。
【請求項４】
縦方向に沿って見たときに、前記非着色部の長さが、前記腹側部と前記背側部とで相違している請求項１〜３の何れか１項に記載の吸収性物品。
【請求項５】
前記主体部は、複数のシートの積層体を有し、該積層体において着用者の肌から最も遠くに位置する外層シートの肌対向面が、該外層シートの地色と異なる着色部を有している請求項１〜４の何れか１項に記載の吸収性物品。
【請求項６】
前記肌最近接シートは、平面視において横方向に長い矩形形状をなし、前記腹側部又は前記背側部の横方向の全長にわたって連続し、且つ前記吸収体の縦方向の端部と重なる請求項１〜５の何れか１項に記載の吸収性物品。
【請求項７】
前記吸収性物品は、前記吸収体を具備する吸収性本体と、該吸収性本体よりも着用者の身体から遠い側に配され、前記主体部を構成する外装体とを備え、前記腹側部及び前記背側部それぞれにおける該外装体の縦方向に沿う両側縁部どうしが接合されて一対のサイドシール部、ウエスト開口部及び一対のレッグ開口部が形成されているパンツ型吸収性物品であり、
前記外装体は、着用状態において前記吸収性物品の外面を形成する外層シートと、該外層シートの肌対向面に対向配置された内層シートとを含み、
前記外層シートの肌対向面又は前記内層シートの非肌対向面は、地色と異なる着色部を有しており、
前記腹側部又は前記背側部において、前記外層シートは、前記内層シートの縦方向端縁から縦方向外方に延出し且つ該内層シートの肌対向面に向けて折り返されている、折り返し部を有し、前記肌最近接シートが該折り返し部からなる請求項１〜４の何れか１項に記載の吸収性物品。
【請求項８】
前記折り返し部における前記非着色部は、該折り返し部における縦方向の端縁を含む端部域に沿って、前記一対のサイドシール部の一方から他方にかけて存在している請求項７に記載の吸収性物品。
【請求項９】
前記外層シートの肌対向面及び前記内層シートの非肌対向面は、それぞれ、地色と異な
る着色部を有している請求項７又は８に記載の吸収性物品。
【請求項１０】
前記外層シートの肌対向面及び前記内層シートの非肌対向面それぞれの前記着色部と、前記折り返し部の前記着色部とは同色である請求項９に記載の吸収性物品。
【発明の詳細な説明】
【技術分野】
【０００１】
本発明は、着色が施された吸収性物品に関する。
【背景技術】
【０００２】
吸収性物品の１種である使い捨ておむつとして、吸収性本体と、該吸収性本体よりも着用者の身体から遠い側に配された外装体とを備えたパンツ型使い捨ておむつが知られている。特許文献１には、斯かる構成のパンツ型使い捨ておむつにおいて、外装体が、着用状態においておむつの外面を形成する外層シートと、該外層シートの肌対向面に対向配置された内層シートとからなり、且つ該外層シートが、該内層シートよりも着用者の前後方向即ち縦方向の長さが大きく、該外層シートにおける該内層シートの縦方向端縁からの延出部が、該内層シートの肌対向面に向けて折り返されて該肌対向面に固定されているものが記載されている。このような外層シートの折り返し部は、この種のパンツ型使い捨ておむつの典型的な構成の１つであり、該折り返し部は通常、該折り返し部と対向する面に接合されている。
【０００３】
また一般に、使い捨ておむつなどの吸収性物品は全体が白色である。これに対し、特許文献１記載のパンツ型使い捨ておむつは、意匠性を向上させて下着らしい外観にするために、外装体を構成する外層シート及び内層シートのうち、着用者の肌から相対的に近い内層シートの全体を有彩色に着色することが記載されている。
【先行技術文献】
【特許文献】
【０００４】
【特許文献１】特許第５６９５７８９号公報
【発明の概要】
【発明が解決しようとする課題】
【０００５】
着用者のウエスト部及びその近傍に配されるウエスト域の肌対向面は、着用者の腹や背中と常時接触し、また手指で触れる機会も多いことから、その風合いは良好であることが好ましく、改善の余地がある。また、使い捨ておむつなどの吸収性物品は、正しい着用位置で着用されて初めてその真価を発揮し得るが、着用時の位置決めが簡単ではないことなどもあって、必ずしも正しい着用位置で着用されていないのが現状である。
【０００６】
従って本発明の課題は、着色が施されていて意匠性が高く、肌対向面の風合いが良好で、着用時の位置決めが簡単な吸収性物品を提供することに関する。
【課題を解決するための手段】
【０００７】
本発明は、着用者の前後方向に対応する縦方向及びこれに直交する横方向を有すると共に、股下部並びに該股下部の前後から縦方向に延出する腹側部及び背側部を有し、該腹側部から該背側部にわたる吸収体を具備する吸収性物品であって、前記腹側部又は前記背側部において、着用者の肌の最も近くに位置する肌最近接シートが、該腹側部又は該背側部の外形を形成する主体部の肌対向面を横方向に延びるように配されており、前記肌最近接シートの非肌対向面が、該非肌対向面と対向する面との接合部及び非接合部を有すると共に、該肌最近接シートの地色と異なる着色部及び非着色部を有し、前記非接合部が、前記肌最近接シートにおける縦方向の端縁を含む端部域に位置しており、且つ前記非着色部を含んでいる吸収性物品を提供するものである。
【発明の効果】
【０００８】
本発明によれば、着色が施されていて意匠性が高く、肌対向面の風合いが良好で、着用時の位置決めが簡単な吸収性物品が提供される。
【図面の簡単な説明】
【０００９】
【図１】図１は、本発明の吸収性物品の一実施形態であるパンツ型使い捨ておむつの一例を模式的に示す斜視図である。
【図２】図２は、図１に示すおむつの展開且つ伸長状態における肌対向面側を一部破断して模式的に示す展開平面図である。
【図３】図３は、図１に示すおむつを模式的に示す分解斜視図である。
【図４】図４は、図２のＩ−Ｉ線断面、即ちおむつの腹側部側のウエスト端縁及びその近傍を模式的に示す縦断面図である。
【図５】図５は、本発明の吸収性物品の他の実施形態の図４相当図である。
【図６】図６は、本発明の吸収性物品のさらに他の実施形態の図４相当図である。
【図７】図７は、本発明の吸収性物品のさらに他の実施形態である展開型使い捨ておむつの一例であり、該おむつの展開且つ伸長状態における肌対向面側を模式的に示す展開平面図である。
【図８】図８は、図７のＩＩ−ＩＩ線断面を模式的に示す横断面図である。
【発明を実施するための形態】
【００１０】
以下本発明を、その好ましい実施形態に基づき図面を参照しながら説明する。図１〜図４には、本発明の吸収性物品の一実施形態であるパンツ型使い捨ておむつの一例であるおむつ１Ａが示されている。おむつ１Ａは、着用者の前後方向に相当する縦方向Ｘとこれに直交する横方向Ｙとを有すると共に、股下部Ｂ並びに該股下部Ｂの前後から縦方向Ｘに延出する腹側部Ａ及び背側部Ｃを有し、腹側部Ａから背側部Ｃにわたって縦方向Ｘに延在し、排泄された体液を吸収保持可能な吸収体２３を具備する。股下部Ｂは、おむつ１Ａの着用状態において着用者の股間部に配される部位であり、腹側部Ａは、おむつ１Ａの着用状態において股下部Ｂよりも着用者の腹側即ち前側に配される部位であり、背側部Ｃは、おむつ１Ａの着用状態において股下部Ｂよりも着用者の背側即ち後側に配される部位である。
【００１１】
おむつ１Ａは、吸収体２３を具備する吸収性本体２と、該吸収性本体２よりも着用者の身体から遠い側に配された外装体３とを備え、腹側部Ａ及び背側部Ｃそれぞれにおける外装体３の縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１２】
おむつ１Ａは、図２に示すように、おむつ１Ａを縦方向Ｘに二分して横方向Ｙに延びる縦中心線ＣＬｘを基準として、着用状態において着用者の身体の前側（腹側）を覆う前身頃Ｆと、着用状態において着用者の身体の後側（背側）を覆う後身頃Ｒとに区分される。腹側部Ａは前身頃Ｆの一部であり、背側部Ｃは後身頃Ｒの一部であり、股下部Ｂは前身頃Ｆと後身頃Ｒとに跨って存している。腹側部Ａ及び背側部Ｃは、何れも縦方向Ｘにおいてサイドシール部Ｓと同位置にある部分であり、おむつ１Ａの着用状態において着用者のウエスト部を含む胴周りに配される。股下部Ｂは、外装体３の縦方向Ｘに沿う両側縁部にレッグ開口部ＬＨ，ＬＨ形成用の凹欠部が形成されている領域である。股下部Ｂは、おむつ１Ａの着用状態において着用者の排泄部（ペニス等）に対向配置される排泄部対向部を有しており、該排泄部対向部は通常、おむつ１Ａの縦方向Ｘの中央部（縦中心線ＣＬｘ上）又はその近傍に位置している。
【００１３】
吸収性本体２は、図２に輪郭線で示したように平面視長方形形状をなし、腹側部Ａから
背側部Ｃにわたって縦方向Ｘに延在しており、その長手方向を展開且つ伸長状態におけるおむつ１Ａの縦方向Ｘに一致させて、外装体３の横方向Ｙの中央部に配置され、接着剤により外装体３に接合されている。
【００１４】
吸収性本体２は、図２に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収体２３は、平面視長方形形状をなし、吸収性本体２の外形を形作っており、図２に示す如き平面視において、吸収体２３と吸収性本体２とは縦方向両端縁が一致している。表面シート２１、裏面シート２２及び吸収体２３としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３としては、パルプ繊維等の繊維材料の集合体又は吸水性ポリマー粒子を含んで構成される吸収性コアを有するものを用いることができ、該吸収性コアはその外面が液透過性のコアラップシートで被覆されていても良い。
【００１５】
本明細書において、「肌対向面」は、吸収性物品又はその構成部材（例えば吸収性本体）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。尚、ここでいう「着用時」は、通常の適正な着用位置、即ち当該吸収性物品の正しい着用位置が維持された状態を意味し、吸収性物品が該着用位置からずれた状態にある場合は含まない。
【００１６】
図２に示すように、吸収性本体２の肌対向面における縦方向Ｘに沿う左右両側部には、液抵抗性又は撥水性で且つ通気性のシート材から構成された一対の防漏カフ２４，２４が設けられている。各防漏カフ２４の自由端部の近傍には糸状の防漏カフ形成用弾性部材２５が１本以上伸長状態で配されている。防漏カフ２４は、伸長状態で配された弾性部材２５がおむつ１Ａの着用時に収縮することによって少なくとも股下部Ｂで起立し、それによって尿等の排泄液の横方向Ｙの外方への流出を阻止する。
【００１７】
外装体３は、おむつ１Ａの外形を形成する主体部であり、自ずと、腹側部Ａ、股下部Ｂ及び背側部Ｃそれぞれの外形を形成する主体部でもある。即ち外装体３は、おむつ１Ａの全構成部材のうちで面積が最大であり、図２に示す如き展開且つ伸長状態のおむつ１Ａの外形を形作っており、外装体３の周縁は、その状態のおむつ１Ａの輪郭線、即ち腹側部Ａ、股下部Ｂ及び背側部Ｃそれぞれの輪郭線を形成している。おむつ１Ａの「展開且つ伸長状態」とは、おむつ１Ａをサイドシール部Ｓで切り離して展開状態とし、その展開状態のおむつ１Ａを各部の弾性部材を伸長させて設計寸法（弾性部材の影響を一切排除した状態で平面状に広げたときの寸法と同じ）となるまで拡げた状態をいう。
【００１８】
外装体３は、図２に示す如き展開且つ伸長状態の平面視において、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装体３の縦方向Ｘに沿う両側縁部即ち一対のレッグ縁部ＬＳ，ＬＳが横方向Ｙの中央に向かって凸の円弧状に湾曲している。おむつ１Ａの外形を形成する主体部である外装体３が、展開且つ伸長状態において斯かる平面視形状を有していることにより、同状態のおむつ１Ａの平面視形状は、図２に示すように、縦方向Ｘの中央域が横方向Ｙの内方に向けて括れた砂時計状である。
【００１９】
外装体３は、図３に示すように、着用状態においておむつ１Ａの外面即ち非肌対向面を形成する外層シート３１と、外層シート３１の肌対向面３１ａに対向配置された内層シート３２との積層体を含んで構成されている。つまり、斯かる積層体は、おむつ１Ａの外形を形成する主体部であり、腹側部Ａ、股下部Ｂ及び背側部Ｃそれぞれの外形を形成する主体部でもある。
【００２０】
外層シート３１は、おむつ１Ａの全構成部材のうちで、着用者の肌から最も遠くに位置する構成部材である。内層シート３２は、外層シート３１よりも相対的に着用者の身体から近い側に位置し、着用状態においておむつ１Ａの内面即ち肌対向面を形成する。外層シート３１と内層シート３２との間は、所定の部位において接着剤３５によって接合されている。外層シート３１及び内層シート３２としては、それぞれ、この種の吸収性物品において外装体として従来用いられている各種のものを特に制限なく用いることができ、例えば、スパンボンド不織布、エアスルー不織布、ニードルパンチ不織布等の各種製法による不織布が挙げられる。
【００２１】
図１〜図３に示すように、一対のレッグ開口部ＬＨ，ＬＨそれぞれの開口縁部を形成するレッグ縁部ＬＳには、糸状又は帯状の１本又は複数本のレッグギャザー形成用のレッグ弾性部材３３が伸長状態で配されており、これによって一対のレッグ開口部ＬＨ，ＬＨそれぞれの開口縁部には、その全周にわたって実質的に連続した環状のレッグギャザーが形成される。
【００２２】
また、腹側部Ａ及び背側部Ｃそれぞれにおける、ウエスト部を含む着用者の胴周りに配される部位には、糸状又は帯状の胴回り弾性部材３４が横方向Ｙに伸長状態で複数本配され、それら複数本の胴回り弾性部材３４は縦方向Ｘに所定間隔を置いて間欠配置されている。胴回り弾性部材３４は、外装体３の横方向Ｙの略全長に亘って延びている。腹側部Ａ及び背側部Ｃはそれぞれ、図２に示すように、おむつ１Ａの着用状態において着用者の腰回り及びその近傍に配されるウエスト域Ｄを有しており、そのウエスト域Ｄに胴回り弾性部材３４が伸長状態で配されている。ウエスト域Ｄは、腹側部Ａ及び背側部Ｃそれぞれにおいて、ウエスト端縁ＡＥ，ＣＥから吸収体２３（吸収性本体２）の縦方向Ｘの端縁にわたる、ウエスト端縁ＡＥ，ＣＥ寄りの胴回り領域（吸収性本体２の非配置領域）であり、通常、腹側部Ａ又は背側部Ｃの縦方向Ｘの全長の８〜８０％を占める。ウエスト端縁ＡＥは、外装体３の腹側部Ａ側の縦方向Ｘの端縁、ウエスト端縁ＣＥは、外装体３の背側部Ｃ側の縦方向Ｘの端縁であり、ウエスト開口部ＷＨは両端縁ＡＥ，ＣＥによって画成される。このように、ウエスト域Ｄに胴回り弾性部材３４がその弾性伸縮性が発現される状態で配されていることにより、ウエスト開口部ＷＨの開口縁部には、その全周にわたって実質的に連続した環状のウエストギャザーが形成される。
【００２３】
また、おむつ１Ａにおいては、図２に示すように、腹側部Ａ及び背側部Ｃそれぞれにおける、縦方向Ｘにおいて外装体３と吸収性本体２（吸収体２３）とが重なる領域、即ち、ウエスト域Ｄよりも股下部Ｂ寄りの領域（ウエスト域Ｄ以外の領域）にも、糸状又は帯状の胴回り弾性部材３４が横方向Ｙに伸長状態で複数本配され、それら複数本の胴回り弾性部材３４は縦方向Ｘに所定間隔を置いて間欠配置されている。このウエスト域Ｄ以外の領域に配された胴回り弾性部材３４は、吸収性本体２を横切っている。そして、外装体３における吸収性本体２の配置領域（平面視において吸収性本体２と重なる領域）においては、胴回り弾性部材３４は分断されるなどして伸縮性が阻害されており、弾性伸縮性が発現される状態では配されていない。以上の各弾性部材３３，３４は、何れも外装体３を構成する外層シート３１と内層シート３２との間に接着剤等の接合手段により挟持固定されている。各弾性部材３３，３４としては、天然ゴム、ポリウレタン系樹脂、発泡ウレタン系樹脂、ホットメルト系伸縮部材等の伸縮性素材を糸状（糸ゴム）又は帯状（平ゴム）に形成したものが好ましく用いられる。
【００２４】
図１〜図４に示すように、腹側部Ａ及び背側部Ｃにおいて、外層シート３１は、内層シート３２の縦方向端縁３２Ｅから縦方向Ｘの外方に延出し且つ内層シート３２の肌対向面３２ａに向けて折り返されている、折り返し部３１０を有している。即ち外層シート３１は、内層シート３２と同形状・同寸法の部分、即ちおむつ１Ａの外形を形成する主体部を構成する部分に加えてさらに、両シート３１，３２を積層した際に内層シート３２の縦方向Ｘの両端縁３２Ｅ，３２Ｅそれぞれから外方に延出する部分を有し、その延出部が折り返し部３１０である。尚、図４では、腹側部Ａ側の折り返し部３１０を示すが、背側部Ｃ側の折り返し部３１０も腹側部Ａ側と同様に構成されており、特に断らない限り、腹側部Ａ側の折り返し部３１０の説明が適宜適用される。
【００２５】
腹側部Ａ及び背側部Ｃそれぞれのウエスト域Ｄに配された外層シート３１の折り返し部３１０は、ウエスト域Ｄにおいて着用者の肌の最も近くに位置する「帯状の肌最近接シート」であり、腹側部Ａ及び背側部Ｃの外形を形成する主体部である外装体３（外層シート３１と内層シート３２との積層体）の肌対向面、より具体的には、ウエスト域Ｄにおける内層シート３２の肌対向面３２ａを横方向Ｙに延びるように配されている。折り返し部３１０の先端、即ち折り返し部３１０における縦方向Ｘの端縁３１０Ｅ（股下部Ｂ側に位置する端縁３１０Ｅ）は、図２に示すように、吸収性本体２（吸収体２３）よりも縦方向Ｘの外方に位置しており、つまり、折り返し部３１０は吸収性本体２（吸収体２３）と重なっていない。
【００２６】
また、おむつ１Ａにおいては、図１〜図３に示すように、吸収性本体２の縦方向Ｘの両端部の肌対向面が、外装体３とは別体の本体端部固定シート５によって被覆されている。本体端部固定シート５は、平面視において横方向Ｙに長い矩形形状をなし、腹側部Ａ及び背側部Ｃそれぞれの、ウエスト域Ｄの一部及びウエスト域Ｄ以外の領域における該一部寄りの部位において、横方向Ｙの全長にわたって連続している。本体端部固定シート５も、折り返し部３１０と同様に、着用者の肌の最も近くに位置する「肌最近接シート」であり、腹側部Ａ及び背側部Ｃの外形を形成する主体部の肌対向面、より具体的にはウエスト域Ｄにおける内層シート３２の肌対向面３２ａを、吸収性本体２の縦方向Ｘの端部と重なりつつ、横方向Ｙに延びるように配されている。おむつ１Ａにおいては、本体端部固定シート５の非肌対向面の略全域が、該非肌対向面と対向する面に対して、ホットメルト型接着剤等の接着剤３５によって接合されており、従って、本体端部固定シート５の股下部Ｂ側に位置する縦方向Ｘの端縁を含む端部域は、本体端部固定シート５の非肌対向面と対向する面に固定されていて、該面から浮かないようになされている。
【００２７】
本体端部固定シート５の採用により、吸収性本体２の縦方向端部からの尿等の排泄液の漏れ防止、吸収性本体２の縦方向端部の露出防止による外観良化等の効果が奏される。本体端部固定シート５の縦方向Ｘの長さ即ち幅は、特に制限されないが通常２０〜６０ｍｍ程度である。本体端部固定シート５としては、外層シート３１及び内層シート３２として使用可能な各種不織布、該不織布の素材として使用可能な樹脂からなるフィルム状シートなどを用いることができる。
【００２８】
おむつ１Ａの主たる特徴の１つとして、図４に示すように、腹側部Ａの外層シート３１の折り返し部３１０（肌最近接シート）の非肌対向面３１０ｂが、該非肌対向面３１０ｂと対向する面（即ち内層シート３２の肌対向面３２ａ）との接合部３１１及び非接合部３１２を有すると共に、折り返し部３１０の地色と異なる着色部４０及び非着色部４１を有し、その非接合部３１２が、折り返し部３１０における縦方向Ｘの端縁３１０Ｅ（肌最近接シートにおける股下部Ｂ側に位置する縦方向Ｘの端縁）を含む端部域に位置しており、且つ非着色部４１を含んでいる点が挙げられる。
【００２９】
図４に示す形態においては、接合部３１１の平面視における全域が着色部４０、非接合部３１２の平面視における全域が非着色部４１となっている。接合部３１１は、折り返し部３１０の非肌対向面３１０ｂと内層シート３２の肌対向面３２ａとが接着剤３５を介して互いに接合されて形成されている。背側部Ｃの外層シート３１の折り返し部３１０（肌最近接シート）も、図４に示す腹側部Ａと同様に構成されている。
【００３０】
このように、外層シート３１の折り返し部３１０が、腹側部Ａ及び背側部Ｃそれぞれのウエスト域Ｄにおいて着用者の肌の最も近くに位置し且つウエスト端縁ＡＥ，ＣＥに沿って横方向Ｙに延びる帯状の肌最近接シートである構成においては、折り返し部３１０の肌対向面３１０ａは、おむつ１Ａの着用時においては着用者の腹や背中と常時接触し、また例えば、おむつ１Ａの装着操作などにおいては手指で触れる機会が比較的多い部位であるところ、このような肌との接触の機会が比較的多い折り返し部３１０の股下部Ｂ側の端部域（端縁３１０Ｅ及びその近傍）が、他の部材に接合されていない非接合部３１２とされ、非接合部３１２と相対向する内層シート３２の肌対向面３２ａに対して接離自在な自由端部域となっていることで、非接合部３１２の感触が柔らかいものとなり、これによりウエスト域Ｄについて肌で感じる風合いが良好なものとなる。
【００３１】
また、折り返し部３１０が、折り返し部３１０が本来有している地色と異なる色に着色された着色部４０と、着色されておらず地色そのままの非着色部４１とを、縦方向Ｘに並んで有していることで、折り返し部３１０の存在が周辺部に比して際立つため、折り返し部３１０を、おむつ１Ａを正しい着用位置で着用するための位置決めの目印として使用することができ、これにより着用時の位置決めを簡単に行うことができる。このような、折り返し部３１０（肌最近接シート）による吸収性物品着用時の位置決め機能をより確実に奏させるようにする観点から、非着色部４１は、折り返し部３１０の縦方向Ｘにおける端部域に沿って、折り返し部３１０の長手方向即ち横方向Ｙの全長にわたって、即ち一方のサイドシール部Ｓから他方のサイドシール部Ｓにかけて連続して存在していることが好ましい。
【００３２】
また仮に、折り返し部３１０の非肌対向面３１０ｂにおける、端縁３１０Ｅを含む端部域に位置する非接合部３１２が、印刷インクが付与されるなどして着色されていると、着用者の身体の動きなどに起因して非接合部３１２がめくれた場合に、その印刷インクが付与された非接合部３１２が着用者の肌に触れて、印刷インクが肌に転移する不都合が発生することが懸念されるが、おむつ１Ａにおいては、非接合部３１２の全体が、印刷インクが付与されていない非着色部４１であるため、斯かる懸念が払拭されている。
【００３３】
このような、ウエスト域Ｄにおける肌最近接シートである外層シート３１の折り返し部３１０による作用効果、特にウエスト域Ｄの風合い向上と、着用時の位置決め操作の容易化を図る観点から、縦方向Ｘに沿って見たときに、ウエスト域Ｄにおける肌最近接シートである外層シート３１の折り返し部３１０の非接合部３１２が、その端縁３１０Ｅを含む折り返し部３１０の縦半分以上の領域に、非着色部４１を含んでいることが好ましい。即ち、折り返し部３１０の股下部Ｂ側の端縁３１０Ｅから折り返し部３１０の縦方向Ｘの全長の半分以上にわたる領域が、非接合部３１２であり且つ非着色部４１を含んでいることが好ましい。
【００３４】
折り返し部３１０（肌最近接シート）の縦方向Ｘの全長に占める、非接合部３１２の縦方向Ｘの長さの割合は、好ましくは１０％以上、さらに好ましくは２０％以上、そして、好ましくは５０％以下、さらに好ましくは４０％以下である。
折り返し部３１０（肌最近接シート）の縦方向Ｘの全長に占める、非着色部４１の縦方向Ｘの長さの割合は、好ましくは１．５％以上、さらに好ましくは１０％以上、そして、好ましくは６０％以下、さらに好ましくは５０％以下である。
非接合部３１２の縦方向Ｘの全長に占める、非着色部４１の縦方向Ｘの長さの割合は、好ましくは２０％以上、さらに好ましくは３０％以上、そして、好ましくは１００％以下、さらに好ましくは９０％以下である。図４に示す形態においては、非接合部３１２の平面視における全域が非着色部４１を有しているので、斯かる割合は１００％である。非接合部３１２の縦方向Ｘの全長に占める、非着色部４１の縦方向Ｘの長さの割合が１００％未満の場合、即ち、非接合部３１２に着色部４０と非着色部４１とが両方存在する場合、非着色部４１は、折り返し部３１０（肌最近接シート）の縦方向Ｘの端縁３１０Ｅ側に配されていることが好ましい。
【００３５】
腹側部Ａの縦方向Ｘの全長に占める、折り返し部３１０（肌最近接シート）の縦方向Ｘの全長の割合は、好ましくは８％以上、さらに好ましくは１０％以上、そして、好ましくは３５％以下、さらに好ましくは３０％以下である。背側部Ｃの折り返し部３１０についても、腹側部Ａと同様に設定することができる。
折り返し部３１０（肌最近接シート）の非着色部４１の縦方向Ｘの長さ即ち幅は、好ましくは２ｍｍ以上、さらに好ましくは５ｍｍ以上、そして、好ましくは２０ｍｍ以下、さらに好ましくは１５ｍｍ以下である。
【００３６】
おむつ１Ａにおいては、図１〜図４に示すように、外層シート３１の肌対向面３１ａ及び内層シート３２の非肌対向面３２ｂは、それぞれ、地色と異なる着色部４０を有している。より具体的には、外層シート３１は、非接合部３１２以外の他の部分における、内層シート３２との対向面の全域に着色部４０を有し、また内層シート３２は、その非肌対向面即ち外層シート３１との対向面の全域に着色部４０を有しており、両シート３１，３２の何れも着色部４０は露出してない。つまりおむつ１Ａにおいては、おむつ１Ａの外形を形成する主体部である、外層シート３１と内層シート３２との積層体の全体が、地色と異なる色に着色されており、またその着色された部分は、該積層体を構成する両シート３１，３２の界面に存在し、外面に露出していない。外層シート３１の肌対向面３１ａ及び内層シート３２の非肌対向面３２ｂそれぞれの着色部４０と、折り返し部３１０の着色部４０とは同色である。尚、おむつ１Ａにおいては、本体端部固定シート５は着色されずに地色のままであるが、その非肌対向面の全域が、印刷インクが付与されるなどして着色されていても良い。
【００３７】
斯かる構成を有するおむつ１Ａにおいては図１及び図２に示すように、おむつ１Ａの外形を形成する主体部である外装体３の全体が地色と異なる色を呈しており、しかも該主体部が、着色された複数枚（２枚）のシート３１，３２の積層体からなるため、おむつ１Ａを外部から視認したときにその施されている着色の色が比較的濃く見え、意匠性が高い。また、おむつ１Ａの内面即ち肌対向面を目視した場合には、その濃い色を呈する主体部即ち外装体３の着色部４０を背景にして、折り返し部３１０の端部域である地色のままの非着色部４１（非接合部３１２）が、ウエスト域Ｄを横方向Ｙに延びているため、着色部４０とのコントラストにより目立つ。そのため非着色部４１を、おむつ１Ａを正しい着用位置で着用するための位置決めの際の目印として使用することができる。また、おむつ１Ａの外面を形成する外層シート３１の非肌対向面３１ｂ、並びに着用者の肌と接触し得るおむつ１Ａの内面を形成する折り返し部３１０の肌対向面３１０ａ及び内層シート３２の肌対向面３２ａは、何れも着色部４０を有していないため、着色部４０を構成する印刷インクが着用者の肌や衣類に移行してこれらを汚すという不都合、いわゆる色移りが効果的に防止される。
【００３８】
外層シート３１の折り返し部３１０における非着色部４１は、外層シート３１が本来有する地色を呈しているところ、その地色は特に制限されないが、通常は白色である。外層シート３１のみならず、おむつ１Ａの他の構成部材についても、通常それらの地色は白色である。また、着色部４０の色は、非着色部４１が呈する地色と目視で区別し得る色であ
れば良く、任意の色を選択し得る。例えばおむつ１Ａの各構成部材の地色が白色の場合、着色部４０の色としては、赤色、青色、黄色などを選択することができる。着色部４０は、外層シート３１、内層シート３２などのおむつ１Ａの構成部材に対し、公知の方法により印刷を施すことで形成することができる。
【００３９】
ところで、おむつ１Ａにおいては、縦方向Ｘに沿って見たときに、外層シート３１の折り返し部３１０の端部域である非着色部４１の長さ（縦方向Ｘの長さ）が、腹側部Ａと背側部Ｃとで同じであるが、これに代えて、非着色部４１の長さが腹側部Ａと背側部Ｃとで相違していても良い。ここでいう「非着色部４１の長さが腹側部Ａと背側部Ｃとで相違」には、腹側部Ａ及び背側部Ｃの双方が非着色部４１を有する形態のみならず、腹側部Ａ及び背側部Ｃの一方のみに非着色部４１を有し、他方に非着色部を有さない形態も含まれる。斯かる構成により、腹側部Ａと背側部Ｃとの区別が一層つけやすくなるため、おむつ１Ａの前後を誤って着用する、といった不都合が効果的に防止される。非着色部４１の縦方向Ｘの長さについては、背側部Ｃに比して腹側部Ａを長くしても良く、その逆でも良い。
【００４０】
以下、本発明の他の実施形態について図５〜図８を参照して説明する。後述する他の実施形態については、前述したおむつ１Ａと異なる構成部分を主として説明し、同様の構成部分は同一の符号を付して説明を省略する。特に説明しない構成部分は、おむつ１Ａについての説明が適宜適用される。
【００４１】
図５に示すおむつ１Ｂにおいては、内層シート３２の縦方向端縁３２Ｅが、外層シート３１の折り返し部３１０の端縁３１０Ｅよりも股下部Ｂ寄りに位置しており、折り返し部３１０は、内層シート３２と重ならずに、相対向する外層シート３１に接着剤３５を介して接合されている。また、おむつ１Ｂにおいては、内層シート３２が折り返し部３１０と重ならない代わりに、本体端部固定シート５が折り返し部３１０と重なっている。即ち図５に示すように、折り返し部３１０の縦方向Ｘの端縁３１０Ｅを含む端部域の非肌対向面３１０ｂと、本体端部固定シート５のウエスト端縁ＡＥ側に位置する縦方向Ｘの端縁を含む端部域の肌対向面とが相対向し、その相対向する部分において折り返し部３１０と本体端部固定シート５とが重なっている。そして、折り返し部３１０の端縁３１０Ｅを含む端部域の非肌対向面３１０ｂは、対向する本体端部固定シート５の縦方向Ｘの端縁を含む端部域と接合されておらず、その全体が非接合部３１２であり且つ非着色部４１である。本体端部固定シート５は、その非肌対向面の略全域が、該非肌対向面と対向する面（図５においては、外層シート３１の肌対向面３１ａ及び内層シート３２の肌対向面３２ａ）に対して、接着剤３５によって接合されている。尚、図５に示しているのはおむつ１Ｂの腹側部であるが、背側部も腹側部と同様に構成されている。おむつ１Ｂによってもおむつ１Ａと同様の効果が奏される。但し、おむつ１Ｂにおいては、平面視において折り返し部３１０の非着色部４１（非接合部３１２）と重なる着色シートが、外層シート３１の１枚のみであるのに対し、おむつ１Ａにおける該着色シートは、外層シート３１及び内層シート３２の計２枚であり、これに起因して、非着色部４１を目視した場合のその背景となる色は、おむつ１Ａの方がおむつ１Ｂ寄りも濃く、そのためおむつ１Ａの方が、その濃い背景色とのコントラストにより、非着色部４１の視認性により一層優れる。
【００４２】
図６に示すおむつ１Ｃにおいては、外層シート３１の折り返し部３１０は、その非肌対向面３１０ｂの全域が、該非肌対向面３１０ｂと対向する面、即ち内層シート３２の肌対向面３２ａに対して接着剤３５によって接合され且つ折り返し部３１０の地色と異なる着色部４０であり、非着色部４１を有していない。その代わりに、おむつ１Ｃにおいては、外層シート３１の折り返し部３１０と同様に着用者の肌の最も近くに位置する「肌最近接シート」である本体端部固定シート５が、それと対向する面に対して部分的に接合され且つ非着色部を有しており、それによって、おむつ１Ａにおける折り返し部３１０と同様の作用効果を発現し得るようになされている。即ちおむつ１Ｃにおいては、図６に示すよう
に、本体端部固定シート５の非肌対向面５ｂが、該非肌対向面５ｂと対向する面（図６においては、内層シート３２の肌対向面３２ａ）との接合部５１及び非接合部５２を有すると共に、本体端部固定シート５の地色と異なる着色部４０及び非着色部４１を有し、その非接合部５２が、本体端部固定シート５における縦方向Ｘの端縁５Ｅを含む端部域に位置しており、且つ非着色部４１を含んでいる。図６に示す形態においては、非接合部５２の平面視における全域が非着色部４１を有している。尚、図６に示しているのはおむつ１Ｃの腹側部であるが、背側部も腹側部と同様に構成されている。おむつ１Ｃによっても、おむつ１Ａと同様の効果が奏される。
【００４３】
図７及び図８に示すおむつ１Ｄは、いわゆる展開型の使い捨ておむつであり、おむつ１Ｄの肌対向面即ち内面を形成する液透過性の表面シート１１、おむつ１Ｃの非肌対向面即ち外面を形成する液不透過性ないし撥水性の裏面シート１２、及び両シート１１，１２間に配置された吸収体１３を具備し、腹側部Ａ、股下部Ｂ及び背側部Ｃを縦方向Ｘに有し、且つ背側部Ｃの縦方向Ｘに沿う両側縁部に一対のファスニングテープ１４，１４を具備すると共に、腹側部Ａの非肌対向面に、ファスニングテープ１４止着用の被止着領域１５を具備する。また、おむつ１Ｄの縦方向Ｘに沿う両側部それぞれには、一側縁部に弾性部材１７が伸長状態で固定されているサイドシート１６が配されており、これにより、着用時における股下部Ｂには一対の立体ギャザーが形成される。また、着用者の脚周りに配される左右のレッグ部には、弾性部材１８が縦方向Ｘに沿って伸長状態で配されており、これにより、着用時におけるレッグ部には一対のレッグギャザーが形成される。
【００４４】
裏面シート１２は、図８に示すように、吸収体４から相対的に遠い外層シート１２０と、吸収体４から相対的に近い内層シート１２１との積層体からなる。外層シート１２０は、着用者の肌から最も遠くに位置し、おむつ１Ｄの外面を形成する。内層シート１２１は、吸収体４と横方向Ｙの長さが略同じであるのに対し、外層シート１２０は内層シート１２１よりも横方向Ｙの長さが長く、内層シート１２１の非肌対向面の全域を被覆し、さらに内層シート１２１の縦方向Ｘに沿う両側縁から横方向Ｙの外方に延出して、サイドシート１６と共にサイドフラップ部を形成している。外層シート１２０としては、良好な風合いを得る観点から、各種不織布を用いることができ、内層シート１２１としては、防漏性の確保の観点から、樹脂フィルムや、樹脂フィルムと不織布等とのラミネート等を用いることができる。
【００４５】
裏面シート１２より具体的には外層シート１２０は、おむつ１Ｄの外形を形成する主体部であり、自ずと、腹側部Ａ、股下部Ｂ及び背側部Ｃそれぞれの外形を形成する主体部でもある。即ち外層シート１２０は、おむつ１Ｄの全構成部材のうちで面積が最大であり、図７に示す如き展開且つ伸長状態のおむつ１Ｄの外形を形作っており、外層シート１２０の周縁は、その状態のおむつ１Ｄの輪郭線、即ち腹側部Ａ、股下部Ｂ及び背側部Ｃそれぞれの輪郭線を形成している。
【００４６】
おむつ１Ｄにおいては、図７及び図８に示すように、裏面シート１２の非肌対向面を形成する外層シート１２０のみが着色部４０を有し、裏面シート１２よりも着用者の肌の近くに位置してこれを被覆している表面シート１１やサイドシート１６などの他の構成部材は着色されていない。また、外層シート１２０において、着色部４０が存在するのは肌対向面１２０ａの全域であり、おむつ１Ｄの外面をなす外層シート１２０の非肌対向面１２０ｂは着色されていない。つまりおむつ１Ｄにおいては、その外形を形成する主体部である外層シート１２０の全体が、その肌対向面１２０ａの全域に存する着色部４０によって地色と異なる色を呈しており、且つその着色部４０は、表面シート１１やサイドシート１６等の他の構成部材によって被覆されていて、露出していない。
【００４７】
また、おむつ１Ｄにおいては、図７に示すように、腹側部Ａ及び背側部Ｃにおいて、着
用者の肌の最も近くに位置する帯状の肌最近接シート１９が、腹側部Ａ及び背側部Ｃそれぞれの前記主体部（シート１１，１２，１６の積層体）の肌対向面を横方向Ｙに延びるように配されている。肌最近接シート１９は、平面視において横方向Ｙに長い矩形形状をなし、腹側部Ａ及び背側部Ｃそれぞれの横方向Ｙの全長にわたって連続している。肌最近接シート１９は、平面視において吸収体１３の縦方向Ｘの端部と重なっている。肌最近接シート１９の縦方向Ｘの長さ即ち幅は、好ましくは２０ｍｍ以上、さらに好ましくは３０ｍｍ以上、そして、好ましくは１５０ｍｍ以下、さらに好ましくは１３０ｍｍ以下である。
【００４８】
そして、腹側部Ａ及び背側部Ｃそれぞれにおける肌最近接シート１９の非肌対向面は、該非肌対向面と対向する面（即ち表面シート１１の肌対向面及びサイドシート１６の肌対向面）との接合部１９１及び非接合部１９２を有すると共に、肌最近接シート１９の地色と異なる着色部４０及び非着色部４１を有し、その非接合部１９２が、肌最近接シート１９における股下部Ｂ側に位置する端縁１９０Ｅを含む端部域に位置しており、且つ非着色部４１を含んでいる。おむつ１Ｄにおいては、非接合部１９２の平面視における全域が非着色部４１を有している。肌最近接シート１９の接合部１９１及び非接合部１９２並びに着色部４０及び非着色部４１を含む構成については、前述した折り返し部３１０における構成と同様に設定でき、肌最近接シート１９の接合部１９１及び非接合部１９２は、折り返し部３１０の接合部３１１及び非接合部３１２と同様に考えて良い。おむつ１Ｄの内面即ち肌対向面を目視した場合には、地色とは異なる色を呈する主体部即ち外層シート１２０の着色部４０を背景にして、肌最近接シート１９の端部域である地色のままの非着色部４１（非接合部１９２）が、腹側部Ａ及び背側部Ｃを横方向Ｙに延びているため、着色部４０とのコントラストにより目立つ存在となる。そのため非着色部４１を、おむつ１Ｄを正しい着用位置で着用するための位置決めの際の目印として使用することができる。おむつ１Ｄによってもおむつ１Ａと同様の効果が奏される。
【００４９】
以上、本発明の実施形態について説明したが、本発明は前記実施形態に制限されず、適宜変更可能である。例えばおむつ１Ａにおいては、着用者の肌の最も近くに位置する「肌最近接シート」として、外層シート３１の折り返し部３１０と、本体端部固定シート５とが存在するところ、折り返し部３１０のみが、その非肌対向面３１０ｂに、該非肌対向面３１０ｂと対向する面との接合部３１１及び非接合部３１２を有すると共に、折り返し部３１０の地色と異なる着色部４０及び非着色部４１を有していたが、斯かる折り返し部３１０の構成と共に、本体端部固定シート５が、その非肌対向面に、該非肌対向面と対向する面との接合部及び非接合部を有すると共に、本体端部固定シート５の地色と異なる着色部及び非着色部を有していても良い。即ち、おむつ１Ａに、おむつ１Ｃの本体端部固定シート５の構成が適用されても良く、その場合、本体端部固定シート５の接合部及び非接合部並びに着色部及び非着色部を含む構成については、前述した折り返し部３１０における構成と同様に設定できる。前述した本発明の実施形態に関し、更に以下の付記を開示する。
【００５０】
＜１＞
着用者の前後方向に対応する縦方向及びこれに直交する横方向を有すると共に、股下部並びに該股下部の前後から縦方向に延出する腹側部及び背側部を有し、該腹側部から該背側部にわたる吸収体を具備する吸収性物品であって、
前記腹側部又は前記背側部において、着用者の肌の最も近くに位置する肌最近接シートが、該腹側部又は該背側部の外形を形成する主体部の肌対向面を横方向に延びるように配されており、
前記肌最近接シートの非肌対向面が、該非肌対向面と対向する面との接合部及び非接合部を有すると共に、該肌最近接シートの地色と異なる着色部及び非着色部を有し、
前記非接合部が、前記肌最近接シートにおける縦方向の端縁を含む端部域に位置しており、且つ前記非着色部を含んでいる吸収性物品。
【００５１】
＜２＞
縦方向に沿って見たときに、前記非接合部が、前記端縁を含む前記肌最近接シートの縦半分以上の領域に、前記非着色部を含んでいる前記＜１＞に記載の吸収性物品。
＜３＞
前記非着色部は、前記肌最近接シートにおける縦方向の端縁を含む端部域に沿って、前記肌最近接シートの横方向の全長にわたって連続して存在している前記＜１＞又は＜２＞に記載の吸収性物品。
＜４＞
縦方向に沿って見たときに、前記非着色部の長さが、前記腹側部と前記背側部とで相違している前記＜１＞〜＜３＞の何れか１項に記載の吸収性物品。
＜５＞
前記主体部は、複数のシートの積層体を有し、該積層体において着用者の肌から最も遠くに位置する外層シートの肌対向面が、該外層シートの地色と異なる着色部を有している前記＜１＞〜＜４＞の何れか１項に記載の吸収性物品。
＜６＞
前記肌最近接シートは、平面視において横方向に長い矩形形状をなし、前記腹側部又は前記背側部の横方向の全長にわたって連続し、且つ前記吸収体の縦方向の端部と重なる前記＜１＞〜＜５＞の何れか１項に記載の吸収性物品。
【００５２】
＜７＞
前記吸収性物品は、前記吸収体を具備する吸収性本体と、該吸収性本体よりも着用者の身体から遠い側に配され、前記主体部を構成する外装体とを備え、前記腹側部及び前記背側部それぞれにおける該外装体の縦方向に沿う両側縁部どうしが接合されて一対のサイドシール部、ウエスト開口部及び一対のレッグ開口部が形成されているパンツ型吸収性物品であり、
前記外装体は、着用状態において前記吸収性物品の外面を形成する外層シートと、該外層シートの肌対向面に対向配置された内層シートとを含み、
前記外層シートの肌対向面又は前記内層シートの非肌対向面は、地色と異なる着色部を有しており、
前記腹側部又は前記背側部において、前記外層シートは、前記内層シートの縦方向端縁から縦方向外方に延出し且つ該内層シートの肌対向面に向けて折り返されている、折り返し部を有し、前記肌最近接シートが該折り返し部からなる前記＜１＞〜＜４＞の何れか１項に記載の吸収性物品。
＜８＞
前記折り返し部における前記非着色部は、該折り返し部における縦方向の端縁を含む端部域に沿って、前記一対のサイドシール部の一方から他方にかけて存在している前記＜７＞に記載の吸収性物品。
＜９＞
前記外層シートの肌対向面及び前記内層シートの非肌対向面は、それぞれ、地色と異なる着色部を有している前記＜７＞又は＜８＞に記載の吸収性物品。
＜１０＞
前記外層シートの肌対向面及び前記内層シートの非肌対向面それぞれの前記着色部と、前記折り返し部の前記着色部とは同色である前記＜９＞に記載の吸収性物品。
＜１１＞
前記内層シートの縦方向の端縁が、前記外層シートの前記折り返し部の縦方向の端縁よりも前記股下部寄りに位置しており、該折り返し部は、該内層シートと重ならずに、相対向する該外層シートに接着剤を介して接合されている前記＜６＞〜＜９＞の何れか１項に記載の吸収性物品。
【００５３】
＜１２＞
前記吸収性物品は、前記吸収体を具備する吸収性本体と、該吸収性本体よりも着用者の身体から遠い側に配され、前記主体部を構成する外装体とを備え、前記腹側部及び前記背側部それぞれにおける該外装体の縦方向に沿う両側縁部どうしが接合されて一対のサイドシール部、ウエスト開口部及び一対のレッグ開口部が形成されているパンツ型吸収性物品であり、
前記外装体は、着用状態において前記吸収性物品の外面を形成する外層シートと、該外層シートの肌対向面に対向配置された内層シートとを含み、
前記外層シートの肌対向面又は前記内層シートの非肌対向面は、地色と異なる着色部を有しており、
前記腹側部又は前記背側部において、前記外層シートは、前記内層シートの縦方向端縁から縦方向外方に延出し且つ該内層シートの肌対向面に向けて折り返されている、折り返し部を有し、
前記吸収性本体の縦方向の端部の肌対向面が、前記外装体とは別体の本体端部固定シートによって被覆されており、
前記肌最近接シートが、前記折り返し部及び前記本体端部固定シートの何れか一方又は両方からなる前記＜１＞〜＜３＞の何れか１項に記載の吸収性物品。
【００５４】
＜１３＞
前記非接合部が、前記肌最近接シートにおける前記股下部側に位置する端縁を含む端部域に位置しており、且つ前記非着色部を含んでいる前記＜１＞〜＜１２＞の何れか１項に記載の吸収性物品。
＜１４＞
前記着色部と前記非着色部とが縦方向に並んでいる前記＜１＞〜＜１３＞の何れか１項に記載の吸収性物品。
＜１５＞
前記接合部の平面視における全域が前記着色部、前記非接合部の平面視における全域が非着色部である前記＜１＞〜＜１４＞の何れか１項に記載の吸収性物品。
【００５５】
＜１６＞
前記肌最近接シートの縦方向の全長に占める、前記非接合部の縦方向の長さの割合は、好ましくは１０％以上、さらに好ましくは２０％以上、そして、好ましくは５０％以下、さらに好ましくは４０％以下である前記＜１＞〜＜１５＞の何れか１項に記載の吸収性物品。
＜１７＞
前記肌最近接シートの縦方向の全長に占める、前記非着色部の縦方向の長さの割合は、好ましくは１．５％以上、さらに好ましくは１０％以上、そして、好ましくは６０％以下、さらに好ましくは５０％以下である前記＜１＞〜＜１６＞の何れか１項に記載の吸収性物品。
＜１８＞
前記非接合部の縦方向の全長に占める、前記非着色部の縦方向の長さの割合は、好ましくは２０％以上、さらに好ましくは３０％以上、そして、好ましくは１００％以下、さらに好ましくは９０％以下である前記＜１＞〜＜１７＞の何れか１項に記載の吸収性物品。＜１９＞
前記非接合部は前記着色部と前記非着色部とを有し、該非着色部が前記肌最近接シートの縦方向の端縁側に配されている前記＜１＞〜＜１８＞の何れか１項に記載の吸収性物品。
＜２０＞
前記腹側部又は前記背側部の縦方向の全長に占める、前記肌最近接シートの縦方向の全長の割合は、好ましくは８％以上、さらに好ましくは１０％以上、そして、好ましくは３
５％以下、さらに好ましくは３０％以下である前記＜１＞〜＜１９＞の何れか１項に記載の吸収性物品。
＜２１＞
前記肌最近接シートの前記非着色部の縦方向の長さは、好ましくは２ｍｍ以上、さらに好ましくは５ｍｍ以上、そして、好ましくは２０ｍｍ以下、さらに好ましくは１５ｍｍ以下である前記＜１＞〜＜２０＞の何れか１項に記載の吸収性物品。
＜２２＞
前記着色部は印刷を施すことで形成されている前記＜１＞〜＜２１＞の何れか１項に記載の吸収性物品。
【符号の説明】
【００５６】
１Ａ，１Ｂ，１Ｃ  パンツ型使い捨ておむつ（吸収性物品）
１Ｄ  展開型使い捨ておむつ（吸収性物品）
Ａ  腹側部
Ｂ  股下部
Ｃ  背側部
Ｄ  ウエスト域
ＡＥ，ＣＥ  ウエスト端縁
Ｆ  前身頃
Ｒ  後身頃
２  吸収性本体
２１  表面シート
２２  裏面シート
２３  吸収体
３  外装体（おむつの外形を形成する主体部）
３１  外層シート
３１ａ  外層シートの肌対向面
３１ｂ  外層シートの非肌対向面
３１０  折り返し部（肌最近接シート）
３１０ａ  折り返し部の肌対向面
３１０ｂ  折り返し部の非肌対向面
３１０Ｅ  折り返し部の端縁
３１１  接合部
３１２  非接合部
３２  内層シート
３２ａ  内層シートの肌対向面
３２ｂ  内層シートの非肌対向面
３３  レッグ弾性部材
３４  胴周り弾性部材
３５  接着剤
４０  着色部
４１  非着色部
５  本体端部固定シート（肌最近接シート）
５ｂ  本体端部固定シートの非肌対向面
５１  接合部
５２  非接合部
１１  表面シート
１２  裏面シート
１２０  外層シート
１２１  内層シート
１３  吸収体
１９  肌最近接シート
１９１  接合部
１９２  非接合部
Ｘ  縦方向
Ｙ  横方向
【図１】
2017217061.tif 000003
【図２】
2017217061.tif 000004
【図３】
2017217061.tif 000005
【図４】
2017217061.tif 000006
【図５】
2017217061.tif 000007
【図６】
2017217061.tif 000008
【図７】
2017217061.tif 000009
【図８】
2017217061.tif 000010